(57)【要約】【課題】複数の無線アクセスに対応したマルチモード端末が特定のアクセス方式の基地局に負荷が集中しないように、ネットワークが調整を行なう。【解決手段】通信端末装置が複数種類の無線通信方式のうち少なくとも一つを選択し、無線通信方式毎に設けられた基地局装置の少なくとも一つと無線通信を行なう異種無線通信システムに適用される上位ゲートウェイ４であって、いずれかの通信端末装置から通知された無線通信方式の優先度、無線通信方式毎に求められた指標に基づいて算出された適合度、および予想消費リソースを示す情報に基づいて、各無線通信方式に対応する基地局装置の混雑度を調整するアクセス方式調整機能４０３と、無線通信方式に変更があった場合に変更後の無線通信方式に対応する基地局装置と通信端末装置とが無線通信を行なうようにパケットのルーティングを行なうパケットスイッチ部４０１と、を備える。【選択図】図３
2012134817.tif 000002
【特許請求の範囲】
【請求項１】
通信端末装置が複数種類の無線通信方式のうち少なくとも一つを選択し、前記無線通信方式毎に設けられた基地局装置の少なくとも一つと無線通信を行なう異種無線通信システムに適用される通信制御装置であって、
いずれかの前記通信端末装置から通知された無線通信方式の優先度、無線通信方式毎に求められた指標に基づいて算出された適合度、および予想消費リソースを示す情報に基づいて、前記各無線通信方式に対応する基地局装置の混雑度を調整するアクセス調整部と、
前記無線通信方式に変更があった場合に変更後の無線通信方式に対応する基地局装置と前記通信端末装置とが無線通信を行なうようにパケットのルーティングを行なうパケットスイッチ部と、を備えることを特徴とする通信制御装置。
【請求項２】
前記アクセス調整部は、前記適合度が大きい通信端末装置に対し、優先的に前記通信端末装置が要求した無線通信方式を割り当てることを特徴とする請求項１記載の通信制御装置。
【請求項３】
前記アクセス調整部は、前記基地局装置のリソースが一定値以上である場合に、その基地局装置と無線通信を行なう通信端末装置との間で、複数のリンクを多重するリンク多重を許容することを特徴とする請求項１記載の通信制御装置。
【請求項４】
複数種類の無線通信方式のうち少なくとも一つを選択し、前記無線通信方式毎に設けられた基地局装置の少なくとも一つと無線通信を行なう異種無線通信システムに適用される通信端末装置であって、
相互に異なる無線通信方式で無線通信を行なうと共に、通信品質情報をそれぞれ取得する複数の無線モジュールと、
前記取得した通信品質情報に基づいて、前記無線通信方式毎の指標を算出し、前記算出した指標に基づいて、前記無線通信方式毎の優先度および適合度を算出する一方、前記無線通信方式毎の予想消費リソースを算出し、前記優先度、前記適合度および前記予想消費リソースの変化を監視するアクセス選択部と、を備え、
前記監視の結果、前記優先度、適合度および予想消費リソースのいずれかに変化が検出された場合、無線通信方式の変更を要求するアクセス変更要求を通信制御装置に対して行なうことを特徴とする通信端末装置。
【請求項５】
前記アクセス変更要求は、候補となる無線通信方式を特定する情報、前記優先度、前記適合度および前記予想消費リソースを含むことを特徴とする請求項４記載の通信端末装置。
【請求項６】
請求項１記載の通信制御装置と、請求項４記載の通信端末装置と、を含むことを特徴とする異種無線通信システム。
【請求項７】
通信端末装置が複数種類の無線通信方式のうち少なくとも一つを選択し、前記無線通信方式毎に設けられた基地局装置の少なくとも一つと無線通信を行なう異種無線通信システムに適用される通信制御装置のプログラムであって、
いずれかの前記通信端末装置から通知された無線通信方式の優先度、無線通信方式毎に求められた指標に基づいて算出された適合度、および予想消費リソースを示す情報に基づいて、前記各無線通信方式に対応する基地局装置の混雑度を調整する処理と、
前記無線通信方式に変更があった場合に変更後の無線通信方式に対応する基地局装置と前記通信端末装置とが無線通信を行なうようにパケットのルーティングを行なう処理と、の一連の処理を、コンピュータに読み取り可能および実行可能にコマンド化したことを特徴とする通信制御装置のプログラム。
【発明の詳細な説明】
【技術分野】
【０００１】
本発明は、複数の無線アクセスに対応したマルチモード端末に対して、端末の要望とネットワークの負荷分散を両立させる技術に関する。
【背景技術】
【０００２】
従来から、異種無線システムに対応したマルチモード端末の活用法として、最適な無線リンクを常に選択するリンク切替、複数の無線リンクを多重させるリンク多重の２種類がある。従来、無線資源が豊富に存在する状況を想定して、リンク切替に焦点を当てた検討が行なわれてきた。しかしながら、輻輳時など、無線資源が逼迫する場合には１リンクで所望の品質を確保することが困難である。そこで、複数無線システムの残無線資源を束ねて、所望の品質を提供するリンク多重が必要となる。
【０００３】
これについて、無線ＬＡＮ、携帯電話等の異なる無線システムを統合するための技術が提案されている。例えば、特許文献１は、ピコセル、マイクロセル、マクロセルなる異なるセルサイズを有する異種無線システムを、コグニティブ基地局、コグニティブ端末を用いて統合する技術が開示されている。コグニティブ基地局、コグニティブ端末は、スイッチ、複数の無線モジュール、無線環境認識部を備えており、無線環境認識部は、無線環境を認識して、その認識結果に基づき、スイッチに対してリンクフレームの分配先である無線モジュールを指示する。リンクフレームは指示された無線モジュールを介して送受信される。これにより、複数の無線アクセスに対応したマルチアクセス端末に対する制御法の検討が進められている。
【０００４】
また、非特許文献１は、受信１ビット当たりの消費電力量が最小となるアクセス方式を選択する方式が提案されている。これにより、省電力性が高いアクセス方式を選択することができ、従来のシングルアクセス端末よりも通信品質を改善できる。また、非特許文献２は、ＡＨＰ（階層分析法）を用いて、帯域、遅延等のパラメータから、複数のアクセス方式を採点して、最高得点のアクセス方式を切り替えて用いる方式が提案されている。これにより、複数の品質のバランスを見てアクセス方式を選択することができ、従来のシングルアクセス端末よりも通信品質を改善することができる。
【先行技術文献】
【特許文献】
【０００５】
【特許文献１】特開２００８-８５７５９号公報
【非特許文献】
【０００６】
【非特許文献１】２００９年電子情報通信学会通信ソサイエティ大会Ｂ-１７-２２「マルチモード端末における無線方式の省電力選択手法」、菅野他
【非特許文献２】Telecommunications, 2007. ITST '07. 7th International Conference on ITS ,「An Application-Oriented Cooperative Vertical Handoff Decision Method for Multi-interface Mobile Terminals」、Shi Yan 他
【発明の概要】
【発明が解決しようとする課題】
【０００７】
しかしながら、端末の都合のみでアクセス方式が選択された場合、ネットワークの立場からは不都合が生じる。例えば、端末がホットスポットを優先する選択ポリシーを適用した場合には、特定のアクセス方式にアクセスが集中する、という不具合が生じる。また、複数の端末が、空いているアクセス方式に一斉に移動する状況が発生した場合、混雑状態がアクセス方式間を行き来する状況が生じ、アクセス方式の切り替えが頻発し、アクセス方式の選択が安定しない、という不具合が生じる。また、端末が特定のアクセス方式を優先する選択ポリシーを適用した場合、他アクセス方式が空いているにもかかわらず、端末
が集中し、閑散なアクセス方式が選ばれない不具合が生じ得る。これらの状況が生じる原因として、ここの端末が個別にアクセス方式を選択しており、端末間のバランスをとる調整役が存在しないことが考えられる。
【０００８】
本発明は、このような事情に鑑みてなされたものであり、複数の無線アクセスに対応したマルチモード端末が特定のアクセス方式の基地局に負荷が集中しないように、ネットワークが調整を行なうことが可能な通信制御装置、通信端末装置、異種無線通信システムおよび通信制御装置のプログラムを提供することを目的とする。
【課題を解決するための手段】
【０００９】
（１）上記の目的を達成するために、本発明は、以下のような手段を講じた。すなわち、本発明の通信制御装置は、通信端末装置が複数種類の無線通信方式のうち少なくとも一つを選択し、前記無線通信方式毎に設けられた基地局装置の少なくとも一つと無線通信を行なう異種無線通信システムに適用される通信制御装置であって、いずれかの前記通信端末装置から通知された無線通信方式の優先度、無線通信方式毎に求められた指標に基づいて算出された適合度、および予想消費リソースを示す情報に基づいて、前記各無線通信方式に対応する基地局装置の混雑度を調整するアクセス調整部と、前記無線通信方式に変更があった場合に変更後の無線通信方式に対応する基地局装置と前記通信端末装置とが無線通信を行なうようにパケットのルーティングを行なうパケットスイッチ部と、を備えることを特徴とする。
【００１０】
このように、通信端末装置から通知された優先度、適合度および予想消費リソースに基づいて、各無線通信方式に対応する基地局装置の混雑度を調整するので、通信端末装置毎の通信品質とネットワーク収容力のバランスを保つことができる。このように、端末とネットワークが連携することで、負荷分散を実現できる。
【００１１】
（２）また、本発明の通信制御装置において、前記アクセス調整部は、前記適合度が大きい通信端末装置に対し、優先的に前記通信端末装置が要求した無線通信方式を割り当てることを特徴とする。
【００１２】
このように、適合度が大きい通信端末装置に対し、優先的に通信端末装置が要求した無線通信方式を割り当てるので、無線通信方式を切り替える際の不都合を最小限に抑えることが可能となる。
【００１３】
（３）また、本発明の通信制御装置において、前記アクセス調整部は、前記基地局装置のリソースが一定値以上である場合に、その基地局装置と無線通信を行なう通信端末装置との間で、複数のリンクを多重するリンク多重を許容することを特徴とする。
【００１４】
このように、基地局装置のリソースが一定値以上である場合に、その基地局装置と無線通信を行なう通信端末装置との間で、複数のリンクを多重するリンク多重を許容するので、通信品質を確保することが可能となる。特に、優先度が最も高い無線通信方式の通信品質が悪い場合は、リンク多重を行なうことで一定の通信品質を確保することが可能となる。
【００１５】
（４）また、本発明の通信端末装置は、複数種類の無線通信方式のうち少なくとも一つを選択し、前記無線通信方式毎に設けられた基地局装置の少なくとも一つと無線通信を行なう異種無線通信システムに適用される通信端末装置であって、相互に異なる無線通信方式で無線通信を行なうと共に、通信品質情報をそれぞれ取得する複数の無線モジュールと、前記取得した通信品質情報に基づいて、前記無線通信方式毎の指標を算出し、前記算出した指標に基づいて、前記無線通信方式毎の優先度および適合度を算出する一方、前記無線通信方式毎の予想消費リソースを算出し、前記優先度、前記適合度および前記予想消費リソースの変化を監視するアクセス選択部と、を備え、前記監視の結果、前記優先度、適合度および予想消費リソースのいずれかに変化が検出された場合、無線通信方式の変更を要求するアクセス変更要求を通信制御装置に対して行なうことを特徴とする。
【００１６】
このように、優先度、適合度および予想消費リソースのいずれかに変化が検出された場合、無線通信方式の変更を要求するアクセス変更要求を通信制御装置に対して行なうので、通信制御装置が複数種類の無線通信方式のいずれかを選択すべきかについて通信端末装置間の調整を行なうことが可能となる。
【００１７】
（５）また、本発明の通信端末装置において、前記アクセス変更要求は、候補となる無線通信方式を特定する情報、前記優先度、前記適合度および前記予想消費リソースを含むことを特徴とする。
【００１８】
このように、アクセス変更要求は、候補となる無線通信方式を特定する情報、前記優先度、前記適合度および前記予想消費リソースを含むので、通信制御装置が複数種類の無線通信方式のいずれかを選択すべきかについて通信端末装置間の調整を行なうことが可能となる。
【００１９】
（６）また、本発明の異種無線通信システムは、上記（１）記載の通信制御装置と、上記（４）記載の通信端末装置と、を含むことを特徴とする。
【００２０】
この構成により、通信端末装置から通知された優先度、適合度および予想消費リソースに基づいて、各無線通信方式に対応する基地局装置の混雑度を調整するので、通信端末装置毎の通信品質とネットワーク収容力のバランスを保つことができる。このように、端末とネットワークが連携することで、負荷分散を実現できる。
【００２１】
（７）また、本発明の通信制御装置のプログラムは、通信端末装置が複数種類の無線通信方式のうち少なくとも一つを選択し、前記無線通信方式毎に設けられた基地局装置の少なくとも一つと無線通信を行なう異種無線通信システムに適用される通信制御装置のプログラムであって、いずれかの前記通信端末装置から通知された無線通信方式の優先度、無線通信方式毎に求められた指標に基づいて算出された適合度、および予想消費リソースを示す情報に基づいて、前記各無線通信方式に対応する基地局装置の混雑度を調整する処理と、前記無線通信方式に変更があった場合に変更後の無線通信方式に対応する基地局装置と前記通信端末装置とが無線通信を行なうようにパケットのルーティングを行なう処理と、の一連の処理を、コンピュータに読み取り可能および実行可能にコマンド化したことを特徴とする。
【００２２】
このように、通信端末装置から通知された優先度、適合度および予想消費リソースに基づいて、各無線通信方式に対応する基地局装置の混雑度を調整するので、通信端末装置毎の通信品質とネットワーク収容力のバランスを保つことができる。このように、端末とネットワークが連携することで、負荷分散を実現できる。
【発明の効果】
【００２３】
本発明は、端末がアクセス方式に優先順位をつけて、その優先順位をネットワークに通知し、ネットワークがその優先順位を用いて複数アクセス方式の基地局の混雑度が一定の値を超えないように端末を割り振ることで、端末個々の通信品質とネットワーク収容力のバランスを保つことができる。すなわち、端末とネットワークが連携することで、負荷分散を実現できる。
【図面の簡単な説明】
【００２４】
【図１】本発明に係るネットワーク構成を示すブロック図である。
【図２】本発明の端末１の構成を示すブロック図である。
【図３】本発明の上位ゲートウェイ４の構成を示すブロック図である。
【図４】本発明の第１の実施形態に係るアクセス方式選択の手順を示すフローチャートである。
【図５】本発明の第１の実施形態に係る基地局２への端末１の割り振りを示す図である。
【図６Ａ】本発明の第１の実施形態に係る基地局２への端末１の割り振り手順を示すフローチャートである。
【図６Ｂ】本発明の第１の実施形態に係る基地局２への端末１の割り振り手順を示すフローチャートである。
【図６Ｃ】本発明の第１の実施形態に係る基地局２への端末１の割り振り手順を示すフローチャートである。
【図７】本発明の第２の実施形態に係るアクセス方式選択の手順を示すフローチャートである。
【発明を実施するための形態】
【００２５】
＜第１の実施形態＞
以下、本発明の実施形態について図面を参照して説明する。図１は、本発明に係るネットワーク構成を示すブロック図である。本発明に係るネットワークは、端末（通信端末装置）１、アクセス方式別の基地局２、アクセス方式別ゲートウェイ３、複数のアクセス方式を束ねる上位ゲートウェイ（通信制御装置）４、外部ネットワーク（インターネット網）５、アプリケーションサーバ６から構成される。基地局２、アクセス方式別ゲートウェイ３は、マクロセルアクセス方式、マイクロセルアクセス方式、ピコセルアクセス方式毎に存在する。
【００２６】
図２は、本発明の端末１の構成を示すブロック図である。端末１は、アクセス方式別の無線機（無線モジュール）１０１、パケットスイッチ１０３、アクセス方式選択機能（アクセス選択部）１０５、上位レイヤ機能１０７により構成される。無線機１０１は、無線の送受信を行なう機能、状態情報（混雑度などの無線状態、遅延などの通信状態）を取得する機能を備える。パケットスイッチ１０３は、上り送信パケット（端末１→基地局２）を、アクセス方式調整機能４０３からアクセス方式変更応答により通知されたアクセス方式の無線機１０１に転送すると共に、下り方向（基地局２→端末１）の受信パケットを上位レイヤ機能１０７へ転送する。アクセス方式選択機能１０５は、無線機１０１から品質情報を取得して、アクセス方式毎の指標を算出する。さらに指標からアクセス方式の優先度を決定すると共に、適合度／予想リソースを算出する。これらの情報を、アクセス方式変更要求として上位ゲートウェイ４のアクセス方式調整機能４０３に通知する。上位レイヤ機能１０７は、ネットワーク層、トランスポート層、アプリケーション層等の機能を持つ。
【００２７】
図３は、本発明の上位ゲートウェイ４の構成を示すブロック図である。外部ネットワーク５とアクセス方式別ゲートウェイ３の間には、パケットスイッチ（パケットスイッチ部）４０１とアクセス方式調整機能（アクセス調整部）４０３がある。パケットスイッチ４０１は、外部ネットワーク５とアクセス方式別ゲートウェイ３間のパケットルーティングを行なう。下り送信パケット（基地局２→端末１）を、アクセス方式調整機能４０３から通知されたアクセス方式に該当するアクセス方式別ゲートウェイ３に転送し、上り送信パケットを適切な宛先に転送する。アクセス方式調整機能４０３は、アクセス方式選択機能１０５から受信したアクセス方式変更要求に基づき、端末１が選択すべきアクセス方式を選択して、パケットスイッチ４０１ならびに端末１のパケットスイッチ１０３に通知する。
【００２８】
図４は、本発明の第１の実施形態に係るアクセス方式選択の手順を示すフローチャートである。アクセス方式選択機能１０５は、定期あるいは不定期に無線機１０１から品質情報を取得する（ステップＳ１）。続いて、アクセス方式選択機能１０５は、以下の処理を行なう（ステップＳ２）。ステップＳ１で取得した品質情報から、アクセス方式毎の指標を求める。例えば、品質情報としてスループットを観測した場合、以下のように指標を算出してもよい。
アクセス方式＃の指標
＝アクセス方式＃のスループット÷全アクセス方式のスループットの和
本実施形態では、指標の算出法を限定する必要がなく、階層分析法（Analytic Hierarchy
Process）等を適用してもよい。
【００２９】
アクセス方式毎の指標から、アクセス方式毎の適合度を求める。適合度は、アクセス方式と、次点のアクセス方式の指標の開き具合を表現する指標であり、次式により求める。
適合度＝自身の指標÷（自身の指標＋優先度次点の指標）
ここで、適合度が高い程、次点との指標の差が大きく、適合度が低い程、次点との指標の差が小さい（次点を選んでも大差なし）。例えば、得点がＷｉＦｉ＝０．４８、ＬＴＥ＝０．３９、ＷｉＭＡＸ＝０．１１の場合、ＷｉＦｉの適合度＝０．４８÷（０．４８＋０．３９）＝５５％となり、ＬＴＥの適合度＝０．３９÷（０．３９＋０．１１）＝７８％となり、ＷｉＭＡＸの適合度＝０．１１÷０．１１＝１００％となる。
【００３０】
アクセス方式毎の予想消費リソースを算出する。消費リソースは例えば、（１）期待伝送レート、（２）予想消費リソース（時間T 内に消費を希望するリソース量：RB 数、スロット数等）、（３）無線機数（通常は１）あるいは、契約等により能力が制限される場合、それを反映した値、等が考えられる。
【００３１】
次に、アクセス方式選択機能１０５は、アクセス方式優先度、適合度、予想消費リソースの変化を監視する（ステップＳ３）。ステップＳ３において変化が検出された場合、アクセス方式選択機能１０５は、アクセス方式変更要求を、上位ゲートウェイ４のアクセス方式調整機能４０３宛に送信する（ステップＳ４）。アクセス方式変更要求は、新アクセス方式ＩＤ候補リスト（優先順位、基地局ＩＤ、適合度、予想消費リソース）を含む。次に、上位ゲートウェイ４は、各端末の新アクセス方式ＩＤを決定する（ステップＳ５）。この際、上位ゲートウェイ４は、図５に示すコンセプトに沿って、図６Ａ〜図６Ｃに示す手順を実行する。
【００３２】
図５は、本発明の第１の実施形態に係る基地局２への端末１の割り振りを示す図である。図５に示すように、基地局２毎に、収容できるリソース上限値を示すリソースゲージを設ける。端末１から報告を受けた予想消費リソースが、リソースゲージの閾値ａあるいは上限値に達するまで、端末１をその基地局２に割り振る。ゲージの上限値に、基地局２毎に個別の値を設定してもよい。ゲージに閾値を設けて、基地局２毎に個別の値を設定してもよい。消費見込みが集中して消費見込みを超えた基地局２では、端末１間の適合度を比較して、適合度が低い端末１から、他アクセス方式の基地局２に予想消費リソースを移動させる。これにより、次点のアクセス方式に切り替えることで受ける影響が大きい端末１は、優先度が高いアクセス方式を選択可能となる。
【００３３】
図６Ａ〜図６Ｃは、本発明の第１の実施形態に係る基地局２への端末１の割り振り手順を示すフローチャートである。図６Ａでは、リソースゲージにおいて、消費見込＜閾値の条件下で、端末１のアクセス方式を割り当てる処理を行なう。まず、上位ゲートウェイ４は、端末１で設定されたアクセス方式の優先度の内、優先度順位Ｎ＝１を設定する（ステップＳ１０１）。未選択端末の優先度Ｎ位（最初はＮ＝１）の基地局ＩＤのリソースゲージが消費見込＜閾値である場合、上位ゲートウェイ４は、当該端末１の消費見込リソースを投入して、消費見込を更新する（ステップＳ１０２）。上位ゲートウェイ４は、これを、未選択の全端末１に対して実行する。次に、上位ゲートウェイ４は、消費見込が閾値を超えた基地局ＩＤが存在するか比較する（ステップＳ１０３）。存在しなければ（ステップＳ１０３：No）、上位ゲートウェイ４は、全端末１の選択が終了したと判断して終了する。
【００３４】
消費見込が閾値を超えた基地局ＩＤが存在する場合（ステップＳ１０３：Yes）、当該基地局ＩＤに待ち受ける端末１を適合度昇順に整列し、消費見込＜閾値になるまで、適合度上位（適合度が低い）の端末１を、リソースゲージから除き、未割当状態に戻す（ステップＳ１０４）。上位ゲートウェイ４は、優先度順位Ｎ＝３までの選択を試み終わったか確認する（ステップＳ１０５）。終わっていなければ（ステップＳ１０５：No）、上位ゲートウェイ４は、優先度順位Ｎを１プラスする（ステップＳ１０６）。
【００３５】
次に、上位ゲートウェイ４は、未選択端末が存在するかどうか判断する（ステップＳ１０７）。未選択端末１が存在しなければ（ステップＳ１０７：No）、上位ゲートウェイ４は、各端末１の新アクセス方式ＩＤの決定手順を終了する。未選択端末１が存在する場合（ステップＳ１０７：Yes）、上位ゲートウェイ４は、リソースゲージの条件を、消費見込＜上限に変更して、マージン（上限と閾値）の差分を消費しつつ、未選択端末１の処理を続ける（図６Ｂ（１））。
【００３６】
図６Ｂでは、リソースゲージにおいて、消費見込＜上限の条件下で、端末１のアクセス方式を割り当てる処理を行なう。まず、上位ゲートウェイ４は、端末１で設定されたアクセス方式の優先度の内、優先度順位Ｎ＝１を設定する（ステップＳ２０１）。未選択端末１の優先度Ｎ位（最初はＮ＝１）の基地局ＩＤのリソースゲージが消費見込＜上限である場合、上位ゲートウェイ４は、当該端末１の消費見込リソースを投入して、消費見込を更新する（ステップＳ２０２）。上位ゲートウェイ４は、これを、未選択の全端末１に対して実行する。次に、上位ゲートウェイ４は、消費見込が上限を超えた基地局ＩＤが存在するか比較する（ステップＳ１０３）。存在しなければ（ステップＳ１０３：No）、上位ゲートウェイ４は、全端末１の選択が終了したと判断して終了する。
【００３７】
消費見込が上限を超えた基地局ＩＤが存在する場合（ステップＳ１０３：Yes）、当該基地局ＩＤに待ち受ける端末１を適合度昇順に整列し、消費見込＜上限になるまで、適合度上位（適合度が低い）の端末１を、リソースゲージから除き、未割当状態に戻す（ステップＳ１０４）。上位ゲートウェイ４は、優先度順位Ｎ＝３までの選択を試み終わったか確認する（ステップＳ１０５）。終わっていなければ（ステップＳ１０５：No）、上位ゲートウェイ４は、優先度順位Ｎを１プラスする（ステップＳ１０６）。
【００３８】
次に、上位ゲートウェイ４は、未選択端末が存在するかどうか判断する（ステップＳ１０７）。未選択端末１が存在しなければ（ステップＳ１０７：No）、上位ゲートウェイ４は、各端末１の新アクセス方式ＩＤの決定手順を終了する。未選択端末１が存在する場合（ステップＳ１０７：Yes）、この未割当端末１は、各基地局２のリソース上限１００％を超過した、収容しきれない端末１である。当該端末１に対して、マルチアクセス用アドミッション制御を適用する（図６ＣのステップＳ３０１）。マルチアクセス用アドミッション制御の例としては、事前に設定する同制御用の優先度に沿って、上位のアクセス方式を選択する。優先度は、例えば、ピコセルシステム＞マイクロセルシステム＞マクロセルシステムの順に優先度を設定する。
【００３９】
図４に戻り、アクセス方式調整機能４０３は、端末１が使用すべきアクセス方式を、パケットスイッチ１０３宛てにアクセス方式変更応答として送信すると共に、パケットスイッチ４０１にも通知する（ステップＳ６）。パケットスイッチ１０３は、ステップＳ６によって通知されたアクセス方式の無線機１０１宛に上り送信パケットを転送する（ステップＳ７）。パケットスイッチ４０１は、ステップＳ６により通知されたアクセス方式のアクセス方式別ゲートウェイ宛に下り送信パケットを転送する（ステップＳ７）。
【００４０】
以上のように、本実施形態によれば、端末１がアクセス方式に優先順位をつけて、その優先順位をネットワークに通知し、ネットワークがその優先順位を用いて複数アクセス方式の基地局２の混雑度が一定の値を超えないように端末１を割り振ることで、端末１個々の通信品質とネットワーク収容力のバランスを保つことができる。
【００４１】
＜第２の実施形態＞
第１の実施形態において、複数のアクセス方式を束ねるリンク多重を実施してもよい。本実施形態では、第１の実施形態における各処理を以下のように変更する。
【００４２】
図７は、本発明の第２の実施形態に係るアクセス方式選択の手順を示すフローチャートである。第１の実施形態と同様に、アクセス方式選択機能１０５は、定期あるいは不定期に無線機１０１から品質情報を取得する（ステップＳ１）。本実施形態では、この後の処理が第１の実施形態とは異なる。アクセス方式選択機能１０５は、確保すべき最低の基準を示す最低伝送速度を定義する。優先度１位のアクセス方式の品質情報として取得する伝送レートが、最低伝送レートに達しない場合、以下の処理を行なう（ステップＳ２Ａ）。すなわち、（１）リンク多重を要望するリンク多重フラグを、有効に設定する。次に（２）優先度１位、２位のアクセス方式の品質情報を分配率決定式に適用して、パケットの分配率を計算する。分配率の決定は、例えば、伝送レートの比率を用いてもよい。
【００４３】
アクセス方式選択機能１０５は、アクセス方式優先度、適合度、予想消費リソース、リンク多重の必要性の変化を監視する（ステップＳ３Ａ）。変化が発生しない場合（ステップＳ３Ａ：No）、端末１１は、品質情報を監視する（ステップＳ１）。変化が発生した場合（ステップＳ３Ａ：Yes）、アクセス方式選択機能１０５は、アクセス方式変更要求として、優先度付けしたアクセス方式、基地局ＩＤ、適合度、予想消費リソース、リンク多重フラグ、分配率を上位ゲートウェイ１４のアクセス方式調整機能４０３に通知する（ステップＳ４Ａ）。
【００４４】
上位ゲートウェイ１４は、全端末１１に対して、第１の実施形態の手順を適用してアクセス方式を決定する（ステップＳ５Ａ）。全ての端末１１のアクセス方式が決定されたのちに、上位ゲートウェイ１４は、リンク多重フラグが有効となっている端末１１の２リンク目の選択を実施する。順位１位のアクセス方式が希望通りに割り当てられている場合、順位２位のアクセス方式の割当を、第１の実施形態相当の手順で試みる。上位ゲートウェイ１４は、２リンクが割り当てられた場合のみ、リンク多重を可能とする。アクセス方式調整機能４０３は、端末１１が使用すべきアクセス方式およびリンク多重を行なう場合の分配率を、パケットスイッチ１０３宛てにアクセス方式変更応答として送信すると共に、パケットスイッチ４０１にも通知する（ステップＳ６Ａ）。
【００４５】
パケットスイッチ１０３は、ステップＳ６Ａにおいて通知されたアクセス方式の無線機１０１宛に上り送信パケットを転送する（Ｓ７Ａ）。複数のアクセス方式ＩＤおよび分配率が通知された場合、上り送信パケットを分配率に沿って、指定された複数のアクセス方式ＩＤの無線機１０１に振り分けて転送する（Ｓ７Ａ）。パケットスイッチ４０１は、ステップＳ６Ａにより通知されたアクセス方式のアクセス方式別ゲートウェイ３宛に下り送信パケットを転送する（Ｓ７Ａ）。複数のアクセス方式ＩＤおよび分配率が通知された場合、下り送信パケットを分配率に沿って、指定された複数のアクセス方式ＩＤのアクセス方式別ゲートウェイ３に振り分けて転送する（Ｓ７Ａ）。この際、リンク多重の帯域拡大効果を確保するために、パケット単位で高速に振り分けることが好ましい。
【００４６】
以上のように、本実施形態によれば、第１の実施形態のように、端末１がアクセス方式に優先順位をつけて、その優先順位をネットワークに通知し、ネットワークがその優先順位を用いて複数アクセス方式の基地局２の混雑度が一定の値を超えないように端末１を割り振ることができると共に、複数のアクセス方式を束ねるリンク多重を実施することができる。これにより、アクセス方式毎の基地局２において、リソースゲージの上限を超えてしまう場合において、マルチアクセスが可能となり、上位ゲートウェイ１４は、より柔軟に端末１の割り振りを行なうことができる。
【符号の説明】
【００４７】
１、１１  端末（通信端末装置）
２、１２  基地局（基地局装置）
３、１３  アクセス方式別ゲートウェイ
４、１４  上位ゲートウェイ（通信制御装置）
５  外部ネットワーク
６  アプリケーションサーバ
１０１  無線機
１０３  パケットスイッチ
１０５  アクセス方式選択機能
１０７  上位レイヤ機能
４０１  パケットスイッチ
４０３  アクセス方式調整機能
【図１】
2012134817.tif 000003
【図２】
2012134817.tif 000004
【図３】
2012134817.tif 000005
【図４】
2012134817.tif 000006
【図５】
2012134817.tif 000007
【図６Ａ】
2012134817.tif 000008
【図６Ｂ】
2012134817.tif 000009
【図６Ｃ】
2012134817.tif 000010
【図７】
2012134817.tif 000011